(57)【特許請求の範囲】
【請求項１】
表示部と、
前記表示部の近傍に配置された記憶媒体と、
前記記憶媒体の近傍の温度を測定又は算出する内部温度測定部と、
前記内部温度測定部によって測定又は算出された前記記憶媒体の近傍の温度が第１の閾値以上の場合に、前記表示部による表示の平均輝度値を低下させる輝度制御部と
を備えることを特徴とする撮像装置。
【請求項２】
請求項１に記載の撮像装置において、
前記内部温度測定部は、
前記記憶媒体の近傍の位置、又は、前記記憶媒体の近傍の位置以外の他の位置の何れかの位置に配置され、
前記内部温度測定部は、
前記近傍の位置に配置されるときには、当該近傍の位置の温度を前記記憶媒体の近傍の温度として測定し、
前記他の位置に配置されるときには、当該他の位置の温度を測定し、測定温度から前記記憶媒体の近傍の温度を算出することを特徴とする撮像装置。
【請求項３】
請求項２に記載の撮像装置において、
前記内部温度測定部は、
前記他の位置に配置されるときには、前記他の位置の測定温度と前記記憶媒体の近傍の温度との関係を示す算術式、又は、前記他の位置の測定温度と前記記憶媒体の近傍の温度との対応関係を示す対応テーブルを用いて、前記他の位置の測定温度から前記記憶媒体の近傍の温度を算出することを特徴とする撮像装置。
【請求項４】
請求項１から請求項３の何れかの請求項に記載の撮像装置において、
前記輝度制御部は、
前記表示部に表示する画像内の全画素の輝度値を一定率減少させて、又は、前記表示部に表示する画像内の高い輝度値を高い減少率で減少させて、前記平均輝度値を低下させることを特徴とする撮像装置。
【請求項５】
請求項１から請求項３の何れかの請求項に記載の撮像装置において、
前記輝度制御部は、
前記記憶媒体の近傍の温度が第１の閾値以上の場合に、所定の間隔で撮像され前記表示部に表示される画像の露光時間を短縮させることによって、前記平均輝度値を低下させることを特徴とする撮像装置。
【請求項６】
請求項１から請求項３の何れかの請求項に記載の撮像装置において、
前記輝度制御部は、
前記記憶媒体の近傍の温度が第１の閾値以上の場合には、前記記憶媒体の近傍の温度が第１の閾値未満の場合に生成する生成画像よりも輝度値を減少させた生成画像を生成させることによって、前記平均輝度値を低下させることを特徴とする撮像装置。
【請求項７】
請求項１から請求項６の何れかの請求項に記載の撮像装置において、
前記記憶媒体の近傍の温度が第１の閾値よりも高い閾値である第２の閾値以上の場合に、当該装置の電源を停止させる電源制御部を更に備えることを特徴とする撮像装置。
【請求項８】
請求項４に記載の撮像装置において、
前記記憶媒体の近傍の温度が第１の閾値よりも高い閾値である第２の閾値以上の場合に、当該装置の電源を停止させる電源制御部を更に備え、
前記輝度制御部は、
第１の閾値と第２の閾値との差に応じた減少率で、前記輝度値を減少させることを特徴とする撮像装置。
【請求項９】
請求項５に記載の撮像装置において、
前記記憶媒体の近傍の温度が第１の閾値よりも高い閾値である第２の閾値以上の場合に、当該装置の電源を停止させる電源制御部を更に備え、
前記輝度制御部は、
第１の閾値と第２の閾値との差に応じた短縮率で、前記露光時間を短縮させることを特徴とする撮像装置。
【発明の詳細な説明】
【技術分野】
【０００１】
本発明は、撮像装置に関するものである。
【背景技術】
【０００２】
従来、カメラの内部が、所定の温度を超えて高温になった場合、加熱保護のため、カメラの電源をオフにする技術（以下、「サーマルシャットダウン機能」という）が知られている（例えば、特許文献１参照）。
【先行技術文献】
【特許文献】
【０００３】
【特許文献１】特開平１１−１４３３４１号公報
【発明の概要】
【発明が解決しようとする課題】
【０００４】
しかしながら、カメラのサーマルシャットダウン機能が働いて動作が停止した場合、カメラの内部が冷却される迄の間、電源をオンにすることができない。従って、カメラをすぐに使いたくても使えないため、ユーザが不便を感じてしまうという問題がある。本発明は、加熱保護を図りつつ、ユーザの上記不便を解消するための技術を提供することを目的とする。
【課題を解決するための手段】
【０００５】
上記問題を解決するために、本発明の一態様である撮像装置は、表示部と、前記表示部の近傍に配置された記憶媒体と、前記記憶媒体の近傍の温度を測定又は算出する内部温度測定部と、前記内部温度測定部によって測定又は算出された前記記憶媒体の近傍の温度が第１の閾値以上の場合に、前記表示部による表示の平均輝度値を低下させる輝度制御部とを備えることを特徴とする。また、前記内部温度測定部は、前記記憶媒体の近傍の位置、又は、前記記憶媒体の近傍の位置以外の他の位置の何れかの位置に配置され、前記内部温度測定部は、前記近傍の位置に配置されるときには、当該近傍の位置の温度を前記記憶媒体の近傍の温度として測定し、前記他の位置に配置されるときには、当該他の位置の温度を測定し、測定温度から前記記憶媒体の近傍の温度を算出してもよい。また、前記内部温度測定部は、前記他の位置に配置されるときには、前記他の位置の測定温度と前記記憶媒体の近傍の温度との関係を示す算術式、又は、前記他の位置の測定温度と前記記憶媒体の近傍の温度との対応関係を示す対応テーブルを用いて、前記他の位置の測定温度から前記記憶媒体の近傍の温度を算出してもよい。
【０００６】
上記撮像装置において、前記輝度制御部は、表示部に表示する画像内の全画素の輝度値を、一定率、減少させて、前記平均輝度値を低下させてもよい。また、表示部に表示する画像内の高い輝度値を、高い減少率で減少させて、前記平均輝度値を低下させてもよい。
【０００７】
上記撮像装置において、前記輝度制御部は、前記記憶媒体の近傍の温度が第１の閾値以上の場合に、所定の間隔で撮像され前記表示部に表示される画像の露光時間を短縮させることによって、前記平均輝度値を低下させてもよい。
【０００８】
上記撮像装置において、前記輝度制御部は、前記記憶媒体の近傍の温度が第１の閾値以上の場合には、前記記憶媒体の近傍の温度が第１の閾値未満の場合に生成する生成画像よりも輝度値を減少させた生成画像を生成させることによって、前記平均輝度値を低下させてもよい。
【０００９】
上記撮像装置は、前記記憶媒体の近傍の温度が第１の閾値よりも高い閾値である第２の閾値以上の場合に、当該装置の電源を停止させる電源制御部を更に備えてもよい。
【００１０】
上記撮像装置において、前記輝度制御部は、第１の閾値と第２の閾値との差に応じた減少率で、前記輝度値を減少させてもよい。また、前記輝度制御部は、第１の閾値と第２の閾値との差に応じた短縮率で、前記露光時間を短縮させてもよい。
【発明の効果】
【００１１】
本発明によれば、撮像装置の内部温度に応じて表示部による表示の平均輝度値を制御し、表示部による過度の発熱を制限することができるようになる。つまり、本発明によれば、内部温度が上昇して電源がオフになる前に、表示部による表示の平均輝度値を低下させることができるようになる。従って、電源をオフすることなくオンのままの状態で発熱を抑制できるため、加熱保護を図りつつ、すぐに使いたくても使えないというユーザの不便を解消することができるようになる。
【図面の簡単な説明】
【００１２】
【図１】本発明の第１の実施形態による撮像装置１、本発明の第２の実施形態による撮像装置２および本発明の第３の実施形態による撮像装置３の概観模式図である。
【図２】撮像装置１の機能構成例を示す機能ブロック図である。
【図３】輝度制御部１７０の機能を説明する説明図である。
【図４】撮像装置２および撮像装置３の概観模式図である。
【図５】輝度制御部２７０、輝度制御部３７０などの機能を説明する説明図である。
【発明を実施するための形態】
【００１３】
（第１の実施形態）
以下、本発明の第１の実施形態による撮像装置１について図面を参照して説明する。図１（ａ）は撮像装置１の正面模式図、図１（ｂ）は撮像装置１の底面模式図である。撮像装置１は、図１（ａ）（ｂ）に示すように、電池格納部１０、電源スイッチ２０、電源ランプ３０、レンズ４０、シャッタボタン５０、記憶媒体６０、内部温度測定部（温度センサ）１５０、表示部（モニタ）１３０を備える。なお、後述する、本発明の第２の実施形態による撮像装置２、本発明の第３の実施形態による撮像装置３についても同様である。
【００１４】
記憶媒体６０は、例えば、ＳＤカード（SD Memory Card）（登録商標）である。ＳＤカードは、概ね、６５度以下の環境下におかれる必要がある（保存温度：−２０〜６５度）。表示部１３０は、自発光式（例えば、有機ＥＬ（Organic Electro-Luminescence））の表示機構を備える。内部温度測定部１５０は、例えば、レンズ４０の内部または記憶媒体６０の近傍に配置され、その周囲の温度を測定する。
【００１５】
表示部１３０は、表示によって発熱し、発熱した熱が伝導することにより、記憶媒体６０の温度を上昇させる。特に、図１（ｂ）に示すように、表示部１３０と記憶媒体６０とが筐体内に近接して配置される場合、表示部１３０の発熱は、記憶媒体６０の温度上昇に大きく寄与する。
【００１６】
図２は、撮像装置１の機能構成例を示す機能ブロック図である。撮像装置１は、図２に示すように、撮像部１００、撮像制御部１１０、画像処理部１２０、画像処理用テーブル記憶部１２２、表示部１３０、表示制御部１４０、内部温度測定部１５０、電源制御部１６０および輝度制御部１７０を備える。
【００１７】
撮像部１００は、複数の撮像素子を備え、撮像制御部１１０の制御に基づいて、レンズ４０を通過した光を光電変換する。撮像制御部１１０は、撮像部１００の露光時間、即ち露光の開始タイミングおよび終了タイミング、蓄積した電荷の読み出し時間、即ち、読み出しの開始タイミングおよび終了タイミングを制御する。
【００１８】
画像処理部１２０は、輝度制御部１７０の制御に基づいて、画像処理用テーブル記憶部１２２に記憶されている画像処理用テーブルを参照し、撮像部１００から供給される画像信号から画像を生成する。当該画像処理用テーブルは、画像生成過程または表示過程などにおいて参照する一般的なルックアップテーブル（ＬＵＴ）である。輝度制御部１７０による画像処理部１２０の制御については後述する。
【００１９】
表示部１３０は、表示制御部１４０の制御に基づいて、画像処理部１２０によって生成される画像（以下、「生成画像」という）を表示する。表示制御部１４０は、生成画像の輝度レベルに基づいて、表示部１３０に供給する電流を制御する。即ち、表示制御部１４０は、生成画像の輝度レベルが低いときは電流の供給量を減らし、輝度レベルが高いときは電流の供給量を増やす。
【００２０】
内部温度測定部１５０は、撮像装置１の内部温度を測定する。例えば、内部温度測定部１５０は、記憶媒体６０の近傍に配置されている場合には、内部温度として、当該設置場所の温度を測定し、当該測定温度を輝度制御部１７０に通知する。また、内部温度測定部１５０は、レンズ４０の内部など記憶媒体６０の近傍でない位置に設置されている場合には、内部温度として、当該設置場所の温度を測定し、当該測定温度から記憶媒体６０の近傍の温度を算出し、記憶媒体６０の近傍の温度として当該算出温度を輝度制御部１７０に通知する。なお、内部温度測定部１５０は、記憶媒体６０の近傍でない位置に配置されている場合には、例えば、測定温度から記憶媒体６０の近傍の温度を算出するための情報を参照し、記憶媒体６０の近傍の温度を算出する。測定温度から記憶媒体６０の近傍の温度を算出するための情報とは、例えば、測定温度と記憶媒体６０の近傍の温度との関係を示す算術式、測定温度と記憶媒体６０の近傍の温度との対応関係を示す対応テーブルなどである。
【００２１】
また、内部温度測定部１５０は、測定又は算出した記憶媒体６０の近傍の温度が所定の閾値（以下、「第２の閾値」という）に達した場合、記憶媒体６０の近傍の温度が第２の閾値に達した旨を電源制御部１６０に通知する。
【００２２】
電源制御部１６０は、撮像装置１の電源（電力供給）を制御する。例えば、電源制御部１６０は、電源スイッチ２０がオンのときに撮像装置１の電源をオンとし（例えば電池格納部１０に格納された電池からの電力供給を開始し）、電源スイッチ２０がオフのときに撮像装置１の電源をオフとする（例えば電池格納部１０に格納された電池からの電力供給を停止する）。また、電源制御部１６０は、撮像装置１の電源をオンにしている場合に、記憶媒体６０の近傍の温度が第２の閾値に達した旨の通知を内部温度測定部１５０から取得したときは、撮像装置１の電源をオフにする（サーマルシャットダウン機能）。即ち、電源制御部１６０は、測定又は算出された記憶媒体６０の近傍の温度が第２の閾値以上の場合に、撮像装置１の電源を停止させる。
【００２３】
輝度制御部１７０は、内部温度測定部１５０によって測定された内部温度に応じて、画像処理部１２０を制御する。具体的には、輝度制御部１７０は、内部温度測定部１５０から通知された記憶媒体６０の近傍の温度が、所定の閾値（以下、「第１の閾値」という。第１の閾値＜第２の閾値）以上である場合に、撮像部１００から供給される画像信号に基づいて生成する生成画像よりも輝度値（平均輝度レベル）を減少させた生成画像を生成するように画像処理部１２０を制御する。換言すれば、輝度制御部１７０は、記憶媒体６０の近傍の温度が第１の閾値以上である場合に、画像処理部１２０を制御して、表示部１３０に表示する画像として、撮像部１００から供給される画像信号に基づいて生成する場合の生成画像よりも輝度値を減少させた生成画像を生成させる。なお、第１の閾値は、記憶媒体６０がＳＤカードであるときは、例えば、６２度程度であってもよい。
【００２４】
例えば、輝度制御部１７０は、記憶媒体６０の近傍の温度が第１の閾値以上である場合に、画像処理部１２０を制御して、撮像部１００から供給される画像信号に基づいて生成する場合の生成画像に対し、生成画像内の全画素の輝度値を一定率減少させた生成画像を生成させる。
【００２５】
図３は、画像処理用テーブルの値をトーンカーブとして表現したものである。例えば、輝度制御部１７０は、記憶媒体６０の近傍の温度が第１の閾値未満である場合、図３（ａ）のトーンカーブＡを参照して画像信号から生成画像を生成するように画像処理部１２０を制御し、記憶媒体６０の近傍の温度が第１の閾値以上である場合、図３（ａ）のトーンカーブＢを参照して画像信号から生成画像を生成するように画像処理部１２０を制御する。なお、図３（ａ）のトーンカーブＡ（図３（ｂ）〜図３（ｅ）のトーンカーブＡも同様）は、入力値（画像信号の値）を変換せずに出力値（生成画像の輝度値）とする場合のトーンカーブであって、撮像部１００から供給される画像信号に基づいて生成画像を生成する場合に参照するトーンカーブである。図３（ａ）の例によれば、画像処理部１２０は、記憶媒体６０の近傍の温度が第１の閾値以上である場合、撮像部１００から供給される画像信号に基づいて生成する生成画像に比べ、全画素の輝度値を２５％減少させた生成画像を生成する。
【００２６】
また例えば、輝度制御部１７０は、記憶媒体６０の近傍の温度が第１の閾値以上である場合に、画像処理部１２０を制御して、撮像部１００から供給される画像信号に基づいて生成する場合の生成画像に対し、生成画像内の高い輝度値を、高い減少率で減少させた生成画像を生成させてもよい。例えば、輝度制御部１７０は、記憶媒体６０の近傍の温度が第１の閾値未満である場合、図３（ｂ）のトーンカーブＡを参照して画像信号から生成画像を生成するように画像処理部１２０を制御し、記憶媒体６０の近傍の温度が第１の閾値以上である場合、図３（ｂ）のトーンカーブＣを参照して画像信号から生成画像を生成するように画像処理部１２０を制御してもよい。図３（ｂ）の例によれば、トーンカーブＣ上のある入力値に対応する点と原点とを通る直線の傾きは入力値が大きいほど緩やかとなるため、画像処理部１２０は、記憶媒体６０の近傍の温度が第１の閾値以上である場合、撮像部１００から供給される画像信号に基づいて生成する生成画像に比べ、輝度値が１２８以上の画素について、高い輝度値ほど高い減少率で輝度値を減少させた生成画像を生成する。
【００２７】
他の例としては、輝度制御部１７０は、記憶媒体６０の近傍の温度が第１の閾値未満である場合、図３（ｃ）のトーンカーブＡを参照して画像信号から生成画像を生成するように画像処理部１２０を制御し、記憶媒体６０の近傍の温度が第１の閾値以上である場合、図３（ｃ）のトーンカーブＤを参照して画像信号から生成画像を生成するように画像処理部１２０を制御してもよい。図３（ｃ）の例によれば、トーンカーブＤ上のある入力値に対応する点と原点とを通る直線の傾きは入力値が大きいほど緩やかとなるため、画像処理部１２０は、記憶媒体６０の近傍の温度が第１の閾値以上である場合、撮像部１００から供給される画像信号に基づいて生成する生成画像に比べ、全画素について、高い輝度値ほど高い減少率で輝度値を減少させた生成画像を生成する。なお、図３（ｂ）のトーンカーブＣ、図３（ｃ）のトーンカーブＤは、値の大きい部分（消費電力の多い部分）を中心に効果的に減少させている。
【００２８】
更に、輝度制御部１７０は、第１の閾値と第２の閾値との差に応じた減少率で、輝度値（生成画像の全画素または一部画素の輝度値）を減少させてもよい。例えば、第１の閾値と第２の閾値との差がＤ１度であるように第１の閾値と第２の閾値とを設定したときは、輝度制御部１７０は、記憶媒体６０の近傍の温度が第１の閾値以上である場合に、図３（ｄ）のトーンカーブＢを参照して画像信号から生成画像を生成するように画像処理部１２０を制御し、第１の閾値と第２の閾値との差がＤ２度（但し、Ｄ２＜Ｄ１）であるように第１の閾値と第２の閾値とを設定したときは、輝度制御部１７０は、記憶媒体６０の近傍の温度が第１の閾値以上である場合に、図３（ｄ）のトーンカーブＥを参照して画像信号から生成画像を生成するように画像処理部１２０を制御してもよい。図３（ｄ）の例によれば、電源をオフにする第２の閾値から近い温度を第１の閾値とした場合（差はＤ２）、第２の閾値から遠い温度を第１の閾値とした場合（差はＤ１）に比べ、画像処理部１２０は、高い減少率で輝度値を減少させる。
【００２９】
また、輝度制御部１７０は、複数の閾値を設定し、記憶媒体６０の近傍の温度に応じた減少率で、輝度値を減少させてもよい。例えば、第１の閾値、第２の閾値に加え第３の閾値、第４の閾値（第１の閾値＜第３の閾値＜第４の閾値＜第２の閾値）を設定したときは、記憶媒体６０の近傍の温度が第１の閾値未満である場合、輝度制御部１７０は、図３（ｅ）のトーンカーブＡを参照して画像信号から生成画像を生成するように画像処理部１２０を制御する。また、記憶媒体６０の近傍の温度が第１の閾値以上第３の閾値未満である場合、輝度制御部１７０は、図３（ｅ）のトーンカーブＢを参照して画像信号から生成画像を生成するように画像処理部１２０を制御する。また、記憶媒体６０の近傍の温度が第３の閾値以上第４の閾値未満である場合、輝度制御部１７０は、図３（ｅ）のトーンカーブＥを参照して画像信号から生成画像を生成するように画像処理部１２０を制御する。また、記憶媒体６０の近傍の温度が第４の閾値以上第２の閾値未満である場合、輝度制御部１７０は、図３（ｅ）のトーンカーブＦを参照して画像信号から生成画像を生成するように画像処理部１２０を制御する。なお、上記場合、輝度値の減少率は、記憶媒体６０の近傍の温度の上昇に応じて段階的に大きくなる。即ち、表示部１３０の表示は、記憶媒体６０の近傍の温度の上昇に応じて段階的に暗くなる。また、記憶媒体６０の近傍の温度が第２の閾値以上である場合、上述の如く、電源制御部１６０は、撮像装置１の電源をオフにする。
【００３０】
以上のように、輝度制御部１７０は、内部温度測定部１５０によって測定された内部温度に応じて画像処理部１２０を制御し、表示部１３０に表示する生成画像の輝度値（平均輝度レベル）を減少させる。生成画像の輝度値が減少した場合、表示制御部１４０の制御により表示部１３０に供給される電流が減少する（表示部１３０による表示の平均輝度値が低下する）。よって、表示部１３０による発熱が減少する。
【００３１】
なお、図３（ａ）の例の場合、全画素を対象として輝度値を減少させるため、輝度値が１２８以上である画素を対象として輝度値を減少させる図３（ｂ）の例の場合に比べより発熱が減少する。また、図３（ａ）の例の場合、全画素を対象に一律２５％輝度値を減少させるため、全画素を対象とするが、輝度値が２５５である画素について２５％輝度値を減少させる図３（ｃ）の例の場合に比べより発熱が減少する。また、図３（ｂ）（ｃ）の例の場合、図３（ａ）の例の場合に比べ、人間が感じとりやすい中間域の輝度値の削減率が小さいため、図３（ｂ）（ｃ）の例の場合、図３（ａ）の例の場合に比べ見やすい生成画像となる。
【００３２】
（第２の実施形態）
以下、本発明の第２の実施形態による撮像装置２について図面を参照して説明する。撮像装置２は、図４（ａ）に示すように、撮像部２００、撮像制御部２１０、画像処理部２２０、表示部２３０、表示制御部２４０、内部温度測定部２５０、電源制御部２６０および輝度制御部２７０を備える。撮像部２００、表示部２３０、表示制御部２４０、内部温度測定部２５０および電源制御部２６０は、本発明の第１の実施形態による撮像装置１の
撮像部１００、表示部１３０、表示制御部１４０、内部温度測定部１５０および電源制御部１６０と同様であるため、説明の一部または全部を省略する。
【００３３】
撮像制御部２１０は、輝度制御部２７０の制御に基づいて、撮像部２００の露光時間（露光開始タイミング、終了タイミング）、読み出し時間（開始タイミング、終了タイミング）を制御する。輝度制御部２７０による撮像制御部２１０の制御については後述する。
【００３４】
画像処理部２２０は、撮像部２００から供給される画像信号から画像を生成する。なお、撮像装置２が画像処理用テーブル記憶部（非図示）を備える場合、画像処理部２２０は、画像処理用テーブルを参照し、撮像部２００から供給される画像信号から画像を生成してもよい。
【００３５】
輝度制御部２７０は、内部温度測定部２５０によって測定された内部温度に応じて、撮像制御部２１０を制御する。具体的には、輝度制御部２７０は、記憶媒体６０の近傍の温度が第１の閾値以上である場合に、所定の間隔で撮像され表示部２３０に表示される画像（以下、「スルー画像」という）の露光時間を所定の露光時間よりも短縮させるように撮像制御部２１０を制御する。換言すれば、輝度制御部２７０は、記憶媒体６０の近傍の温度が第１の閾値以上である場合に、撮像制御部２１０を制御して、スルー画像の露光時間を所定の露光時間よりも短縮させる。なお、所定の露光時間とは、例えば、適正露光量に基づく露光時間、ユーザによって指定された露光時間などである。
【００３６】
また、輝度制御部２７０は、第１の閾値と第２の閾値との差に応じた短縮率で、スルー画像の露光時間を短縮させてもよい。例えば、図５（ａ）に示すように、第１の閾値と第２の閾値との差がＤ１度であるように第１の閾値と第２の閾値とを設定したときは、輝度制御部２７０は、記憶媒体６０の近傍の温度が第１の閾値以上である場合に、スルー画像の露光時間を所定の露光時間に対しＫ１％短縮するように撮像制御部２１０を制御し、第１の閾値と第２の閾値との差がＤ２度（但し、Ｄ２＜Ｄ１）であるように第１の閾値と第２の閾値とを設定したときは、輝度制御部２７０は、記憶媒体６０の近傍の温度が第１の閾値以上である場合に、スルー画像の露光時間を所定の露光時間に対しＫ２％（但し、Ｋ１＜Ｋ２）短縮するように撮像制御部２１０を制御してもよい。図５（ａ）の例によれば、電源をオフにする第２の閾値から近い温度を第１の閾値とした場合（差はＤ２）、第２の閾値から遠い温度を第１の閾値とした場合（差はＤ１）に比べ、撮像部２００は、高い短縮率で露光時間を短縮させる。
【００３７】
また、輝度制御部２７０は、複数の閾値を設定し、記憶媒体６０の近傍の温度に応じた減少率で、スルー画像の露光時間を短縮させてもよい。例えば、第１の閾値、第２の閾値に加え第３の閾値、第４の閾値（第１の閾値＜第３の閾値＜第４の閾値＜第２の閾値）を設定したときは、例えば、図５（ｂ）に示すように、記憶媒体６０の近傍の温度が第１の閾値未満である場合、輝度制御部２７０は、スルー画像の露光時間を所定の露光時間するように撮像制御部２１０を制御する。また、記憶媒体６０の近傍の温度が第１の閾値以上第３の閾値未満である場合、輝度制御部２７０は、スルー画像の露光時間を所定の露光時間に対しＬ１％短縮するように撮像制御部２１０を制御する。また、記憶媒体６０の近傍の温度が第３の閾値以上第４の閾値未満である場合、輝度制御部２７０は、スルー画像の露光時間を所定の露光時間に対しＬ２％短縮するように撮像制御部２１０を制御する。また、記憶媒体６０の近傍の温度が第４の閾値以上第２の閾値未満である場合、輝度制御部２７０は、スルー画像の露光時間を所定の露光時間に対しＬ３％短縮するように撮像制御部２１０を制御する。なお、Ｌ１＜Ｌ２＜Ｌ３である場合、露光時間の短縮率は、記憶媒体６０の近傍の温度の上昇に応じて段階的に大きくなる。即ち、表示部２３０の表示は、記憶媒体６０の近傍の温度の上昇に応じて段階的に暗くなる。また、記憶媒体６０の近傍の温度が第２の閾値以上である場合、電源制御部２６０は、撮像装置２の電源をオフにする。
【００３８】
以上のように、輝度制御部２７０は、内部温度測定部２５０によって測定された内部温度に応じて撮像制御部２１０を制御し、露光量を少なくし、表示部２３０に表示する生成画像の輝度値（平均輝度レベル）を減少させる。生成画像の輝度値が減少した場合、表示制御部２４０の制御により表示部２３０に供給される電流が減少する（表示部２３０による表示の平均輝度値が低下する）。よって、表示部２３０による発熱が減少する。
【００３９】
（第３の実施形態）
以下、本発明の第３の実施形態による撮像装置３について図面を参照して説明する。撮像装置３は、図４（ｂ）に示すように、撮像部３００、撮像制御部３１０、画像処理部３２０、表示部３３０、表示制御部３４０、内部温度測定部３５０、電源制御部３６０および輝度制御部３７０を備える。撮像部３００、撮像制御部３１０、表示部３３０、内部温度測定部３５０および電源制御部３６０は、本発明の第１の実施形態による撮像装置１の撮像部１００、撮像制御部１１０、表示部１３０、内部温度測定部１５０および電源制御部１６０と同様であるため、説明の一部または全部を省略する。画像処理部３２０は、本発明の第２の実施形態による撮像装置２の画像処理部２２０と同様であるため、説明の一部または全部を省略する。
【００４０】
表示制御部３４０は、輝度制御部３７０の制御、および、生成画像の輝度レベルに基づいて、表示部３３０に供給する電流を制御する。輝度制御部３７０による表示制御部３４０の制御については後述する。
【００４１】
輝度制御部３７０は、内部温度測定部３５０によって測定された内部温度に応じて、表示制御部３４０を制御する。具体的には、輝度制御部３７０は、記憶媒体６０の近傍の温度が第１の閾値以上である場合に、表示部３３０に供給する電流を所定の量よりも減少させるように表示制御部３４０を制御する。換言すれば、輝度制御部３７０は、記憶媒体６０の近傍の温度が第１の閾値以上である場合に、表示制御部３４０を制御して、表示部３３０に供給する電流を所定の量よりも減少させる。なお、所定の量とは、例えば、生成画像の輝度レベルに基づく量などである。
【００４２】
また、輝度制御部３７０は、第１の閾値と第２の閾値との差に応じた減少率で、表示部３３０に供給する電流を減少させてもよい。例えば、図５（ｃ）に示すように、第１の閾値と第２の閾値との差がＤ１度であるように第１の閾値と第２の閾値とを設定したときは、輝度制御部３７０は、記憶媒体６０の近傍の温度が第１の閾値以上である場合に、表示部３３０に供給する電流を所定の量に対しＭ１％削減するように撮像制御部３１０を制御し、第１の閾値と第２の閾値との差がＤ２度（但し、Ｄ２＜Ｄ１）であるように第１の閾値と第２の閾値とを設定したときは、輝度制御部３７０は、記憶媒体６０の近傍の温度が第１の閾値以上である場合に、表示部３３０に供給する電流を所定の量に対しＭ２％（但し、Ｍ１＜Ｍ２）削減するように撮像制御部３１０を制御してもよい。図５（ｃ）の例によれば、電源をオフにする第２の閾値から近い温度を第１の閾値とした場合（差はＤ２）、第２の閾値から遠い温度を第１の閾値とした場合（差はＤ１）に比べ、表示部３３０に供給される電力は、高い減少率で減少する。
【００４３】
また、輝度制御部３７０は、複数の閾値を設定し、記憶媒体６０の近傍の温度に応じた減少率で、表示部３３０に供給する電流を減少させてもよい。例えば、第１の閾値、第２の閾値に加え第３の閾値、第４の閾値（第１の閾値＜第３の閾値＜第４の閾値＜第２の閾値）を設定したときは、例えば、図５（ｄ）に示すように、記憶媒体６０の近傍の温度が第１の閾値未満である場合、輝度制御部３７０は、表示部３３０に供給する電流を所定の量とするように表示制御部３４０を制御する。また、記憶媒体６０の近傍の温度が第１の閾値以上第３の閾値未満である場合、輝度制御部３７０は、表示部３３０に供給する電流を所定の量に対しＮ１％削減するように表示制御部３４０を制御する。また、記憶媒体６０の近傍の温度が第３の閾値以上第４の閾値未満である場合、輝度制御部３７０は、表示部３３０に供給する電流を所定の量に対しＮ２％削減するように表示制御部３４０を制御する。また、記憶媒体６０の近傍の温度が第４の閾値以上第２の閾値未満である場合、輝度制御部３７０は、表示部３３０に供給する電流を所定の量に対しＮ３％削減するように表示制御部３４０を制御する。なお、Ｎ１＜Ｎ２＜Ｎ３である場合、電流の減少率は、記憶媒体６０の近傍の温度の上昇に応じて段階的に大きくなる。即ち、表示部３３０の表示は、記憶媒体６０の近傍の温度の上昇に応じて段階的に暗くなる。また、記憶媒体６０の近傍の温度が第２の閾値以上である場合、電源制御部３６０は、撮像装置３の電源をオフにする。
【００４４】
以上のように、輝度制御部３７０は、内部温度測定部３５０によって測定された内部温度に応じて表示制御部３４０を制御し、表示部３３０に供給される電流を減少させる（表示部３３０による表示の平均輝度値を低下させる）。よって、表示部１３０による発熱が減少する。
【００４５】
以上、第１の実施形態による撮像装置１、第２の実施形態による撮像装置２、第３の実施形態による撮像装置３によれば、内部温度が上昇して第１の閾値以上になった場合、即ち、第２の閾値まで上昇して電源がオフになる前に、表示部１３０（２３０、３３０）による表示の平均輝度値を低下させるようにしている。つまり、第１、第２、第３の実施形態によれば、電源をオフすることなくオンのままの状態で発熱を抑制するようにしている。従って、加熱保護を図りつつ、すぐに使いたくても使えないというユーザの不便を解消することができるようになる。
【００４６】
また、第１、第２、第３の実施形態によれば、内部温度が上昇した場合に、表示部１３０（２３０、３３０）による表示の平均輝度値が低下するため、内部の温度が高くなっている旨をユーザに報知することができる。また、第１の実施形態によれば、ソフトウェアによる処理（画像処理）のみで上記効果を得ることができる。また、第２、第３の実施形態によれば、ルックアップテーブルを使用しない撮像装置においても上記効果を得ることができる。また、真夏の日中の浜辺など非常に気温が高くかつ非常に明るい場面において、第２の実施形態によれば、露光時間を短縮するため、上記効果に加えて、スミア（smear）の発生も抑えることができるようになる。
【００４７】
なお、撮像装置３の表示部３３０は、有機ＥＬなどの自発光式のものであると説明したが、電流の供給量は一定でシャッタなどを用いて輝度調整する態様ではなく、電流の供給量を変えて輝度調整する態様の他発光式のものであってもよい。例えば、表示部３３０は、生成画像全体の平均輝度レベルに応じて、生成画像全体として輝度調整を行う単数又は複数のＬＥＤ（Light Emitting Diode）をバックライトの光源に採用したＬＣＤ（Liquid Crystal Display）であってもよい。また、表示部３３０は、複数のＬＥＤをバックライトの光源に採用し、生成画像の各領域の輝度レベルに応じて、各領域に対応する個々のＬＥＤが個別に輝度調整を行うＬＣＤであってもよい。
【００４８】
撮像装置１の表示部１３０および撮像装置２の表示部２３０は、有機ＥＬなどの自発光式のものであると説明したが、表示部３３０と同様、電流の供給量を変えて輝度調整する態様の他発光式のものであってもよい。例えば、表示部１３０および表示部２３０は、複数のＬＥＤをバックライトの光源に採用し、生成画像の各領域の輝度レベルに応じて、各領域に対応する個々のＬＥＤが個別に輝度調整を行うＬＣＤであってもよい。また、表示部１３０および表示部２３０は、個別に輝度調整を行う複数のＬＥＤではなく、生成画像全体の平均輝度レベルに応じて、生成画像全体として輝度調整を行う単数又は複数のＬＥＤをバックライトの光源に採用したＬＣＤであってもよい。
【００４９】
なお、内部温度が上昇した場合に、表示部１３０（２３０、３３０）による表示の平均輝度値が低下するため、内部の温度が高くなっている旨をユーザに報知することができるようになると説明したが、平均輝度値の低下理由、即ち、内部の温度が高くなったために平均輝度値を低下させているということをユーザに明示してもよい。例えば、電源ランプ３０の点滅、点滅の仕方、表示部への文言出力などによって平均輝度値の低下理由をユーザに明示してもよい。また、記憶媒体６０の近傍の温度の上昇に応じて輝度値（平均輝度レベル）を段階的に暗くする場合には、各段階に応じて点滅の仕方、文言を変えてもよい。
【００５０】
なお、上記各実施形態において、内部温度測定部１５０（２５０、３５０）は、記憶媒体６０に係る温度を測定または算出しているが、内部温度は記憶媒体６０に係る温度に限定するものではない。即ち、内部温度測定部１５０（２５０、３５０）は、記憶媒体６０に係る温度に代えてまたは加えて、熱の影響を考慮すべき他の部材に係る温度を測定等してもよい。
【００５１】
以上、この発明の実施形態について図面を参照して詳述してきたが、具体的な構成はこの実施形態に限られるものではなく、この発明の要旨を逸脱しない範囲の設計等も含まれる。
【符号の説明】
【００５２】
１、２、３  撮像装置  １０  電池格納部  ２０  電源スイッチ  ３０  電源ランプ  ４０  レンズ  ５０  シャッタボタン  ６０  記憶媒体  ７０  温度センサ  １００  撮像部  １１０  撮像制御部  １２０  画像処理部  １２２  画像処理用テーブル記憶部  １３０  表示部  １４０  表示制御部  １５０  内部温度測定部１５０  電源制御部  １７０  輝度制御部  ２００  撮像部  ２１０  撮像制御部  ２２０  画像処理部  ２３０  表示部  ２４０  表示制御部  ２５０  内部温度測定部  ２６０  電源制御部  ２７０  輝度制御部  ３００  撮像部  ３１０  撮像制御部  ３２０  画像処理部  ３３０  表示部  ３４０  表示制御部  ３５０  内部温度測定部  ３６０  電源制御部  ３７０  輝度制御部
【図１】
0005532718.tif 000002
【図２】
0005532718.tif 000003
【図３】
0005532718.tif 000004
【図４】
0005532718.tif 000005
【図５】
0005532718.tif 000006